(57)【要約】【課題】複数の情報表示装置にエレベータ情報を同時に表示することにある。【解決手段】エレベータ情報を送信する第１の伝送制御装置１１と、この第１の伝送制御装置のエレベータ情報を受信する第２の伝送制御装置２１ａ及び表示部２２ａを有する複数の情報表示装置２ａ，２ｂと、これら各情報表示装置から受信完了信号の受信時刻を用いて、第２の伝送制御装置毎の補正時間を演算し、それぞれ対応する第２の伝送制御装置に送信する表示同期装置６とを備え、各第２の伝送制御装置は、エレベータ情報を受信し、かつ、受信完了信号を表示同期装置に送出する手段２１１ａ，２１２ａと、表示同期装置から補正時間を受けた場合、この補正時間を伴う補正指令を送出する伝送ずれ補正手段２１４ａと、この補正時間経過後に受信されたエレベータ情報を自身の表示部に表示する表示制御手段２１３ａとを設けたエレベータの情報表示制御システムである。【選択図】    図４
2005047645.tif 000002
【特許請求の範囲】
【請求項１】
エレベータ情報を送受信するマスタ機能をもつ第１の伝送制御装置と、
この第１の伝送制御装置にそれぞれ伝送路を介して接続され、当該第１の伝送制御装置のエレベータ情報を受信するスレーブ機能をもつ第２の伝送制御装置及び表示部を有する複数の情報表示装置と、
これら全ての情報表示装置から受信完了信号を受けたときに表示許可信号を各情報表示装置に送信する表示同期装置とを備え、
前記各第２の伝送制御装置は、エレベータ情報を受信する情報受信手段と、この情報受信手段で受信されるエレベータ情報の受信完了をチェックし、受信完了信号を前記表示同期装置に送出する受信完了信号出力手段と、前記表示同期装置から表示許可信号を受けたとき、自身の表示部にエレベータ情報を表示する表示制御手段とを設けたことを特徴とするエレベータの情報表示制御システム。
【請求項２】
エレベータ情報を送受信するマスタ機能をもつ第１の伝送制御装置と、
この第１の伝送制御装置にそれぞれ伝送路を介して接続され、当該第１の伝送制御装置のエレベータ情報を受信するスレーブ機能をもつ第２の伝送制御装置及び表示部を有する複数の情報表示装置と、
これら全ての情報表示装置から受信完了信号を受けたとき、前記各第２の伝送制御装置に表示許可信号を送出し、また前記第２の伝送制御装置毎の受信完了信号の受信時刻を用いて、当該第２の伝送制御装置毎の補正時間を演算し、それぞれ対応する第２の伝送制御装置に送信する表示同期装置とを備え、
前記各第２の伝送制御装置は、エレベータ情報を受信する情報受信手段と、この情報受信手段で受信されるエレベータ情報の受信完了をチェックし、受信完了信号を前記表示同期装置に送出する受信完了信号出力手段と、前記表示同期装置から補正時間を受けた場合、この補正時間を記憶するとともに、当該補正時間を伴う伝送遅れ補正指令を送出する伝送ずれ補正手段と、前記表示許可信号及び前記伝送ずれ補正手段から補正時間を伴う伝送遅れ補正指令を受けた場合、通常モード時には前記表示許可信号に基づき、また補正モード時には前記伝送遅れ補正指令に基づいて補正時間経過後に前記情報受信手段で受信されたエレベータ情報を自身の表示部に表示する表示制御手段とを設けたことを特徴とするエレベータの情報表示制御システム。
【請求項３】
請求項２に記載のエレベータの情報表示制御システムにおいて、
前記表示同期装置は、前記各第２の伝送制御装置から受信完了信号を受け取った受信時刻を出力する表示同期手段と、この表示同期手段から受け取る前記各第２の伝送制御装置毎の受信時刻を、所定時間の間又は所定量分サンプリングするサンプリング手段と、前記第２の伝送制御装置毎にデータサンプリング時間の平均伝送時間を演算し、これら平均伝送時間のうち、最大平均伝送時間を基準時間とし、この基準時間と前記第２の伝送制御装置毎の平均伝送時間とを用いて、当該第２の伝送制御装置毎の補正時間を演算し、対応する第２の伝送制御装置の伝送ずれ補正手段に送出する演算手段とを設けたことを特徴とするエレベータの情報表示制御システム。
【請求項４】
請求項２に記載のエレベータの情報表示制御システムにおいて、
前記表示同期装置は、前記各第２の伝送制御装置から受信完了信号を受け取った受信時刻を出力する表示同期手段と、この表示同期手段から受け取る前記各第２の伝送制御装置毎の受信時刻を、所定時間の間又は所定量分サンプリングするサンプリング手段と、前記第２の伝送制御装置毎にデータサンプリング時間の平均伝送時間を演算し、これら平均伝送時間の中から最小平均伝送時間を基準とし、この基準時間と前記第２の伝送制御装置毎の平均伝送時間とから当該第２の伝送制御装置毎の伝送ずれ時間を演算する伝送ずれ時間演算手段と、この伝送ずれ時間演算手段によって求められた前記第２の伝送制御装置毎の伝送ずれ時間の中の最大伝送ずれ時間と当該第２の伝送制御装置毎の伝送ずれ時間とから補正時間を演算し、対応する第２の伝送制御装置の伝送ずれ補正手段に送出する補正時間演算手段とを設けたことを特徴とするエレベータの情報表示制御システム。
【請求項５】
請求項４に記載のエレベータの情報表示制御システムにおいて、
前記補正時間演算手段は、前記伝送ずれ時間演算手段で求められた前記第２の伝送制御装置毎の伝送ずれ時間のばらつきが所定時間以内の場合に当該第２の伝送制御装置毎の伝送ずれ時間の中の最大伝送ずれ時間と当該第２の伝送制御装置毎の伝送ずれ時間とから補正時間を演算し、対応する第２の伝送制御装置の伝送ずれ補正手段に送出することを特徴とするエレベータの情報表示制御システム。
【請求項６】
請求項１ないし請求項５の何れか一項に記載のエレベータの情報表示制御システムにおいて、
前記複数の第２の伝送制御装置のうち、少なくとも１台の伝送制御装置内に、前記表示同期装置を構成する機能を内蔵又は着脱自在に実装することを特徴とするエレベータの情報表示制御システム。
【請求項７】
エレベータ情報を送受信するマスタ機能をもつ第１の伝送制御装置と、
この第１の伝送制御装置にそれぞれ伝送路を介して接続され、当該第１の伝送制御装置のエレベータ情報を受信するスレーブ機能をもつ第２の伝送制御装置及び表示部を有する複数の情報表示装置と、
これら全ての情報表示装置から受信完了信号を受けたときに表示許可信号を各情報表示装置に送信する表示同期装置とを備え、
前記各第２の伝送制御装置は、エレベータ情報を受信する情報受信手段と、この情報受信手段で受信されるエレベータ情報の受信完了をチェックし、受信完了信号を前記表示同期装置に送出する受信完了信号出力手段と、この信号出力手段から出力される受信受信完了信号の受信時点から前記表示同期装置６から発生される表示許可信号の受信時点までの表示遅れ時間を、所定時間又は所定量分サンプリングする表示遅れ時間サンプリング手段と、このサンプリングされた表示遅れ時間の平均値を演算し、この平均表示遅れ時間を補正時間とする表示遅れ時間演算手段と、この補正時間を受けた場合、この補正時間を記憶するとともに、補正時間を伴う伝送遅れ補正指令を送出する伝送ずれ補正手段と、前記表示許可信号及び前記伝送ずれ補正手段から補正時間を伴う伝送遅れ補正指令を受けた場合、通常モード時には前記表示許可信号に基づき、また補正モード時には前記伝送遅れ補正指令に基づいて補正時間経過後に前記情報受信手段で受信されたエレベータ情報を自身の表示部に表示する表示制御手段とを設けたことを特徴とするエレベータの情報表示制御システム。
【請求項８】
請求項２又は請求項７に記載のエレベータの情報表示制御システムにおいて、
前記第２の伝送制御装置は、前記表示同期装置から前記伝送ずれ補正手段に設定される補正時間を任意に変更する補正時間調節手段を設けたことを特徴とするエレベータの情報表示制御システム。
【請求項９】
請求項２又は請求項７に記載のエレベータの情報表示制御システムにおいて、
前記各第２の伝送制御装置の伝送ずれ補正手段は、前記表示同期装置から補正時間を受けたとき、当該第２の伝送制御装置毎の補正時間データを前記第１の伝送制御装置に送信し、当該第１の伝送制御装置にて前記各第２の伝送制御装置に送信するエレベータ情報の送信タイミングを制御可能とすることを特徴とするエレベータの情報表示制御システム。
【請求項１０】
エレベータ情報を送受信するマスタ機能をもつ第１の伝送制御装置と、
この第１の伝送制御装置にそれぞれ伝送路を介して接続され、当該第１の伝送制御装置のエレベータ情報を受信するスレーブ機能をもつ第２の伝送制御装置及び表示部を有する複数の情報表示装置とを備え、
前記各第２の伝送制御装置は、エレベータ情報を受信する情報受信手段と、この情報受信手段で受信されるエレベータ情報の受信完了をチェックし、受信完了信号を前記第１の伝送制御装置にフィードバックする受信完了信号出力手段と、前記情報受信手段により受信されるエレベータ情報を自身の表示部に表示する表示制御手段とを有し、
前記第１の伝送制御装置は、エレベータ情報を前記各第２の伝送制御装置に分配送信する手段と、前記第２の伝送制御装置毎のエレベータ情報の送信時刻から当該第２の伝送制御装置毎に送信されてくる受信完了信号の受信までの伝送遅れ時間を計測し出力する手段と、この第２の伝送制御装置毎の伝送遅れ時間を、所定時間又は所定量分サンプリングする伝送遅れ時間サンプリング手段と、このサンプリングされた表示遅れ時間の平均値を演算し、この平均表示遅れ時間を補正時間とする伝送遅れ時間演算手段と、この演算手段により得られる第２の伝送制御装置毎の補正時間に基づき、前記エレベータ情報を前記第２の伝送制御装置毎に分配送信するよう制御する伝送遅れ補正手段とを設けたことを特徴とするエレベータの情報表示制御システム。
【請求項１１】
請求項１０に記載のエレベータの情報表示制御システムにおいて、
前記第１の伝送制御装置は、前記伝送ずれ補正手段に設定される補正時間を任意に変更する補正時間調節手段を設けたことを特徴とするエレベータの情報表示制御システム。
【請求項１２】
請求項１０に記載のエレベータの情報表示制御システムにおいて、
前記伝送遅れ時間演算手段は、サンプリングされた表示遅れ時間の平均値を演算し、この平均表示遅れ時間の１／２を補正時間とすることを特徴とするエレベータの情報表示制御システム。
【発明の詳細な説明】
【０００１】
【発明の属する技術分野】
本発明は、エレベータ情報を複数の情報表示装置に同時に表示するエレベータの情報表示制御システムに関する。
【０００２】
【従来の技術】
従来、エレベータ情報を伝送表示する技術としては、幾つかの情報伝送表示システムが提案されている。
【０００３】
その１つの情報伝送表示システムは、伝送処理システムと、複数の乗場系リモートステーション、かご系リモートステーション及びメッセージを出力する複数のインフォメーションリモートステーションと、群管理制御装置とで構成され、伝送処理システムは、群管理制御装置から送信データがあるか否かを判定する同期検出手段と、この同期検出手段から送信データなしとする時間を計測し、このなし時間が所定時間経過したときに同期完了とみなし、乗場系リモートステーション，インフォメーションリモートステーションから割込みを受け付けて出力するタイマと、このタイマを介して各リモートステーションから複数の割込みを受けたとき、それら割込みの優先順位を決定する割込みコントローラと、この割込みコントローラ及び乗場系の信号伝送を制御する乗場系伝送制御手段と、かご系の信号伝送を制御するかご系伝送制御手段と、割込みコントローラの出力及び両系伝送制御手段の出力に基づいて乗場系伝送制御手段又はかご系伝送制御手段を選択し、信号伝送処理を行わせる処理切替え手段とを備え、前記信号伝送処理・実行を行う複数の割込みが競合した場合でも、優先順位に従って一方の信号伝送処理の実行時に他方の信号伝送処理を実行不能とし、伝送能力の低下を招く事態を防ぐ構成である（特許文献１参照）。
【０００４】
他の１つの情報伝送表示システムは、エレベータの運行状態を表すデータを直列伝送する複数のエレベータ制御器と、これらエレベータ制御器からの運行状態データを分配する分配器と、この分配器から伝送Ｉ／Ｆを経由してくるデータに対して必要な処理を実行する主処理部と、この主処理部に接続される表示器とからなり、前記主処理部は、伝送Ｉ／Ｆからのエレベータ運行状態データを受信する受信器、この受信されたエレベータ運行状態データを記憶する記憶器及びこの記憶器に記憶されるデータを選択的に抽出し、非同期に表示器に表示する切替制御器を備え、エレベータ運行状態データの量が増加しても、切替制御器が記憶器から順次エレベータ運行状態データを取り出して表示器に表示することにより、表示遅れが生じたり、或いは乗りかごの運行に際し例えば１階通過から２階通過を飛び越えて３階通過を表示するといったかご位置飛びの表示を防止することができる（特許文献２参照）。
【０００５】
【特許文献１】
特開平９−１８３５７７号公報（図３参照）
【０００６】
【特許文献２】
特開平９−０６７０７２号公報（図１参照）
【０００７】
【発明が解決しようとする課題】
ところで、近年の情報化社会の進展に伴い、建物内に複数の情報表示装置を設置し、エレベータ情報に限らず、映像や音声などの大量の情報を一度に表示することが多くなり、また同一階のエレベータホール、同一のエレベータかご内、或いは１つのエレベータ監視室等のごとく、同一の場所に複数の情報表示装置を設置し、異なるエレベータ情報を表示することも珍しくない。
【０００８】
ところで、前者の従来技術では、複数の異なる系列の信号伝送処理に際し、複数の割込みが競合した場合でも優先順位に従って必要なエレベータ情報を表示し、伝送能力の低下、ひいては伝送遅れを低減する技術であるが、建物内の各所に設置される複数の情報表示装置に必要なエレベータ情報を同時に表示する場合、これら情報表示装置間の表示ずれを回避することが難しい。
【０００９】
また、後者の従来技術は、エレベータ運行状態データを順次記憶器に格納し、記憶器から所要とするデータを選択的に読み出して表示器に表示するので、運行状態データが大量に増加してもエレベータ情報の表示は可能であるが、複数の情報表示装置を設置された場合、それら情報表示装置間の表示ずれを無くすことができない。
【００１０】
本発明は上記事情に鑑みてなされたもので、複数の情報表示装置間の表示ずれを防ぎ、利用者が違和感のない状態でエレベータ情報を観察可能なエレベータの情報表示制御システムを提供することを目的とする。
【００１１】
【課題を解決するための手段】
（１）  上記課題を解決するために、本発明に係るエレベータの情報表示制御システムは、エレベータ情報を送受信するマスタ機能をもつ第１の伝送制御装置と、この第１の伝送制御装置にそれぞれ伝送路を介して接続され、当該第１の伝送制御装置のエレベータ情報を受信するスレーブ機能をもつ第２の伝送制御装置及び表示部を有する複数の情報表示装置と、これら全ての情報表示装置から受信完了信号を受けたときに表示許可信号を各情報表示装置に送信する表示同期装置とを備え、
各第２の伝送制御装置は、エレベータ情報を受信する情報受信手段と、この情報受信手段で受信されるエレベータ情報の受信完了をチェックし、受信完了信号を前記表示同期装置に送出する受信完了信号出力手段と、表示同期装置から表示許可信号を受けたとき、自身の表示部にエレベータ情報を表示する表示制御手段とを設けた構成である。
【００１２】
この発明は以上のような構成とすることにより、第１の伝送制御装置から送信されるエレベータ情報を各第２の伝送制御装置で受信するが、全ての第２の伝送制御装置からの受信完了信号を受け取って表示同期装置が各第２の伝送制御装置に表示許可信号を与え、エレベータ情報を表示するので、同一の場所に複数の情報表示装置を設置しても、表示同期装置が同期を取って各情報表示装置に表示許可を与えるので、表示ずれによる違和感がなく、エレベータ情報を見ることができ、不快感を解消できる。
【００１３】
（２）  本発明係るエレベータの情報表示制御システムは、表示同期装置が全ての情報表示装置から受信完了信号を受けたとき、各第２の伝送制御装置に表示許可信号を送出し、また第２の伝送制御装置毎の受信完了信号の受信時刻を用いて、当該第２の伝送制御装置毎の補正時間を演算し、それぞれ対応する第２の伝送制御装置に送信する構成とし、一方、各第２の伝送制御装置は、エレベータ情報を受信する情報受信手段と、この情報受信手段で受信されるエレベータ情報の受信完了をチェックし、受信完了信号を前記表示同期装置に送出する受信完了信号出力手段と、表示同期装置から補正時間を受けた場合、この補正時間を伴う伝送遅れ補正指令を送出する伝送ずれ補正手段と、表示許可信号及び伝送ずれ補正手段から補正時間を伴う伝送遅れ補正指令を受けた場合、通常モード時には前記表示許可信号に基づき、また補正モード時には前記伝送遅れ補正指令に基づいて補正時間経過後に前記情報受信手段で受信されたエレベータ情報を自身の表示部に表示する表示制御手段とを設けた構成である。
【００１４】
この発明は以上のような構成とすることにより、表示同期装置から全ての情報表示装置から受信完了信号を受けたときに表示許可信号を送出し、また第２の伝送制御装置毎の受信完了信号の受信時刻を用いて、当該第２の伝送制御装置毎の補正時間を演算するので、各伝送制御装置は、通常モード時には表示許可信号に基づいてエレベータ情報を表示し、補正モード時には演算された補正時間経過後にエレベータ情報を表示するので、同一場所に設置される第２の伝送制御装置に対し、ユーザの要求に基づいて選択的にモードを変えつつエレベータ情報を表示できる。
【００１５】
なお、各第２の伝送制御装置毎の受信完了信号受信時刻を、所定時間の間又は所定量分サンプリングし、第２の伝送制御装置毎にデータサンプリング時間の平均伝送時間を演算し、これら平均伝送時間のうち、最大平均伝送時間を基準時間とし、この基準時間と第２の伝送制御装置毎の平均伝送時間とを用いて補正時間を演算し、各第２の伝送制御装置に設定すれば、各伝送路の伝送時間のばらつきの影響を抑制しながら精度の高い補正時間を取得することが可能である。
【００１６】
また、複数の第２の伝送制御装置のうち、少なくとも１台の伝送制御装置内に、表示同期装置を構成する機能を内蔵又は着脱自在に実装する構成とすれば、少なくとも表示同期装置を新たに設置する必要が無く、また着脱自在に実装する場合には必要な時に第２の伝送制御装置毎に補正時間を演算し、各第２の伝送制御装置に設定した後に取り外すことができ、省スペース化もさることながら、必要に応じて伝送ずれを補正すればよい。
【００１７】
（３）  また、伝送ずれの補正機能を各第２の伝送制御装置ごと、或いは第１の伝送制御装置に設けてもよい。
【００１８】
（４）  さらに、前記（２）、（３）を含めて各第２の伝送制御装置２設定した補正時間を適宜に調整可能とすれば、実際に表示ずれが出てきたような場合に直ちに補正時間を調整でき、かつ微妙な調整も可能となる。
【００１９】
さらに、各伝送路の伝送時間にばらつきがあるので、伝送時間のばらつきの大きいものを除外するようにすれば、さらに補正時間の精度を高めることが可能である。
【００２０】
【発明の実施の形態】
以下、本発明の実施の形態について図面を参照して説明する。
【００２１】
図１は本発明に係るエレベータの情報表示制御システムの全体構成を示す図であって、説明の便宜上、最小単位である例えば２台のエレベータ情報表示装置を備えた例について説明する。
【００２２】
この情報表示制御システムは、乗りかごの運行制御および情報伝送制御を司るエレベータ制御装置１と、このエレベータ制御装置１から送信されてくる映像、音声を含むエレベータ情報を表示する例えば２台の情報表示装置２ａ，２ｂと、エレベータ制御装置１と各情報表示装置２ａ，２ｂとを異なる伝送路長さ等を含む異機種の伝送路３ａ，３ｂ及び４ａ，４ｂを介して接続される伝送インタフェース５ａ，５ｂと、複数の各情報表示装置２ａ，２ｂの表示同期を行う表示同期装置６とで構成されている。
【００２３】
このエレベータ制御装置１は、マスタ機能をもつエレベータ伝送制御装置１１及びこのエレベータ伝送制御装置１１から出力されるエレベータ情報を所定の順序で情報表示装置２ａ，２ｂに分配する分配手段１２により構成され、また各情報表示装置２ａ，２ｂは、分配手段１２から伝送されてくるエレベータ情報を受信し、また必要とするフィードバック情報を返送するスレーブ機能をもつ伝送制御装置２１ａ，２１ｂと、この伝送制御装置２１ａ，２１ｂで受信されたエレベータ情報を表示する例えばＣＲＴ，液晶ディスプレイなどの表示部２２ａ，２２ｂとが設けられている。なお、広義には、エレベータ伝送制御装置１１は分配手段１２を含むものである。
【００２４】
（第１の実施の形態）
図２は図１に示すエレベータ情報制御システムの第１の実施の形態を示す機能構成図である。なお、同図において図１と同一部分には同一符号を付して説明する。
【００２５】
この実施の形態は、図１に示すエレベータ伝送制御装置１１及び情報表示装置２ａ、２ｂの詳細構成を説明するものである。なお、図２は、説明の便宜上、伝送インタフェース５ａ，５ｂ及び伝送制御装置２１ｂの内部構成は省略してある。
【００２６】
先ず、エレベータ伝送制御装置１１は、各階乗場からのかご呼び、かご内操作盤からの行先階指定などに基づいて乗りかごの運行制御に関するエレベータ情報を作成し、また予め記録装置（図示せず）など記録される映像、音声を含む案内情報及びメッセージ情報、外部から情報表示指令のもとに入力される所要の情報を出力するエレベータ制御処理手段１１１及びこのエレベータ制御処理手段１１１から出力されるエレベータ情報を情報表示装置２ａ，２ｂに送信し、また情報表示装置２ａ，２ｂ側から送られてくる例えばフィードバック情報を受信し、エレベータ制御処理手段１１１に受け渡す情報送受信手段１１２が設けられている。
【００２７】
一方、情報表示装置２ａを構成する伝送制御装置２１ａは、エレベータ制御装置１から送信されてくるエレベータ情報を受信し、また所要とするフィードバック情報を送信する情報送受信手段２１１ａ、この情報送受信手段２１１ａで受信されるエレベータ情報の受信完了状態をチェックし、受信完了後に受信完了信号を出力する受信完了信号出力手段２１２ａ及び情報送受信手段２１１ａで受信されたエレベータ情報を所定の条件のもとに表示部２２ａに表示する表示制御手段２１３ａが設けられている。なお、伝送制御装置２１ｂについても、伝送制御装置２１ａと同一構成であるので、省略する。
【００２８】
前記表示同期装置６は、全部の情報表示装置２ａ，２ｂから受信完了信号を受け取った時点で各情報表示装置２ａ，２ｂの表示制御手段２１３ａ，２１３ｂ（図示せず）に表示許可信号を送出する機能をもっている。
【００２９】
次に、以上のようなシステムの動作について図３を参照して説明する。
【００３０】
先ず、エレベータ制御装置装置１を構成するエレベータ制御処理手段１１１は、乗場からかご呼び等を受けると予め定めるプログラムに従って必要なエレベータ情報を作成し、情報送受信手段１１２を通して分配手段１２に送出する。この分配手段１２は、情報送受信手段１１２から受け取ったエレベータ情報を各情報表示装置２ａ，２ｂに分配送信する。
【００３１】
この情報表示装置２ａの伝送制御装置２１ａは、情報送受信手段２１１ａがそれぞれ伝送路３ａ−伝送インタフェース５ａ−伝送路４ａを通して送られてくるエレベータ情報を受信する（Ｓ１）。このとき、受信完了信号出力手段２１２ａは、情報送受信手段２１１ａが受信完了か否かをチェックし（Ｓ２）、受信完了と判断した場合には受信完了信号を表示同期装置６に送出する（Ｓ３）。
【００３２】
ここで、表示同期装置６は、全部の情報表示装置２ａ，２ｂから受信完了信号を受け取ったか否かを判断し、全受信完了信号を受け取ったとき、対応する表示制御手段２１３ａに表示許可信号を送出する
従って、伝送制御装置２１ａとしては、表示制御手段２１３ａが受信完了信号出力手段２１２ａから受信完了信号を送出した後、表示同期装置６から表示許可信号を受け取ったか否かを判断し（Ｓ４）、表示許可信号を受信すると、情報送受信手段２１１ａで受信されたエレベータ情報を表示手段２２ａに表示する（Ｓ５）。なお、情報表示装置２ｂにおいても、情報表示装置２ａと同様な処理を実行する。
【００３３】
従って、以上のような実施の形態によれば、表示同期装置６が全部の情報表示装置２ａ，２ｂから受信完了信号を受け取った時点で一斉に表示制御手段２１３ａ，２１３ｂに表示許可信号を送出するので、多少の表示遅れが生じるが、同一のタイミングで複数の情報表示装置２ａ，２ｂに同時に同一のエレベータ情報を表示でき、エレベータ利用者がエレベータ情報を違和感なく見ることができる。
【００３４】
（第２の実施の形態）
図４は図１に示すエレベータの情報表示制御システムの第２の実施の形態を示す機能構成図である。なお、同図において図１，図２と同一部分には同一符号を付し、それら同一部分の説明は図１，図２に譲る。
【００３５】
この実施の形態は、図１に示す情報表示装置２ａ、２ｂ及び同期表示装置６の詳細構成を説明するものである。なお、図２は、説明の便宜上、伝送インタフェース５ａ，５ｂ及び伝送制御装置２１ｂの内部構成は省略してある。
【００３６】
先ず、上位のエレベータ制御装置１は、図２と同様にエレベータ制御処理手段１１１、情報送受信手段１１２及び分配手段１２が設けられている。
【００３７】
前記情報表示装置２ａを構成する伝送制御装置２１ａは、第１の実施の形態と同様にデータ送受信手段２１１ａ、受信完了信号出力手段２１２ａを有する他、伝送ずれ補正手段２１４ａ、補正時間調整手段２１５ａ、表示モード選択手段２１６ａ及び表示制御手段２１７ａ等が設けられている。なお、情報表示装置２ｂを構成する伝送制御装置２１ｂは、図示されていないが、伝送制御装置２１ａと同様の構成であるので、省略する。
【００３８】
前記伝送ずれ補正手段２１４ａは、表示同期装置６側から送られてくる後記する伝送ずれ補正時間を受け取って記憶し、エレベータ情報を受信した時又は表示制御手段２１３ａからの要求により伝送ずれ補正時間を伴った伝送遅れ補正指令を出力する機能をもっている。前記補正時間調整手段２１５ａは、例えばパソコンなどの入力機器に相当するものであって、例えば表示同期装置６側から伝送ずれ補正時間データを受け取らない場合には予め補正時間を伝送ずれ補正手段２１４ａに設定するとか、或いは既に伝送ずれ補正時間が設定されている場合には当該補正時間を変更する機能をもっている。
【００３９】
前記表示モード選択手段２１６ａは、補正モード又は通常モードを選択設定するものであり、表示制御手段２１３ａは、表示モード選択手段２１６ａにより通常モードに設定されている場合、情報送受信手段２１１ａからエレベータ情報を受信した後、表示同期装置６側から表示許可信号を受け取ったとき、エレベータ情報を表示部２２ａに表示し、また表示モード選択手段２１６ａにより補正モードに設定されている場合、情報送受信手段２１１ａからエレベータ情報を受信した後、表示同期装置６側から送られてくる表示許可信号を無視し、伝送ずれ補正手段２１４ａから出力される伝送ずれ補正時間を伴った伝送遅れ補正指令に基づいて受信したエレベータ情報を表示部２２ａに表示する機能をもっている。
【００４０】
前記表示同期装置６は、全情報表示装置２ａ，２ｂの情報送受信手段２１１ａ，２１１ｂ（２１１ｂは図示せず）から受信完了信号を受け取った時点で前記表示制御手段２１３ａ，２１３ｂ（２１３ｂは図示せず）に表示許可信号を送出するとともに、内部クロックに基づいて情報表示装置２ａ，２ｂ毎の受信完了信号を受信した時刻データを送出する表示同期手段６１と、この表示同期手段６１からの情報表示装置２ａ，２ｂ毎の受信完了信号の受信時刻を記録するとともに、これら受信時刻から取得される伝送ずれ時間を所定時間ないし所定量分サンプリングし、演算指令とともに送出する伝送ずれ時間サンプリング手段６２と、この伝送ずれ時間サンプリング手段６２から受け取る演算指令に基づいて情報表示装置２ａ，２ｂ毎の伝送時間（時刻の差分）の平均値を計算するとともに、これら情報表示装置２ａ，２ｂ毎の平均伝送時間の中から最小の平均伝送時間を抽出して基準時間とし、この基準時間と情報表示装置２ａ，２ｂ毎の平均伝送時間との差分を伝送ずれ時間とする伝送ずれ時間演算手段６３と、この伝送ずれ時間演算手段６３により演算される情報表示装置２ａ，２ｂ毎の伝送ずれ時間の中から最大伝送ずれ時間を抽出し、この抽出された最大伝送ずれ時間と各情報表示装置２ａ，２ｂ毎の伝送ずれ時間との差分を補正時間とし、前記伝送ずれ補正手段２１４ａ，２１４ｂ（２１４ｂは図示せず）に送信する伝送ずれ補正時間演算手段６４とによって構成されている。
【００４１】
次に、以上のようなシステムの動作について図５及び図６を参照して説明する。
【００４２】
先ず、エレベータ制御処理手段１１１は、乗場からのかご呼び等に基づいて予め定めるプログラムに従って必要なエレベータ情報を作成し、情報送受信手段１１２を通して分配手段１２に送出する。この分配手段１２は、情報送受信手段１１２から受け取ったエレベータ情報を各情報表示装置２ａ，２ｂの伝送制御装置２１ａ，２１ｂに分配し送信する。
【００４３】
この伝送制御装置２１ａは、情報送受信手段２１１ａがそれぞれ伝送路３ａ−伝送インタフェース５ａ−伝送路４ａを介してエレベータ情報を受信する（Ｓ１１）。このとき、受信完了信号出力手段２１２ａは、情報送受信手段２１１ａが受信完了したか否かをチェックし（Ｓ１２）、受信完了したときに受信完了信号を表示同期装置６に送出する（Ｓ１３）。
【００４４】
ここで、表示同期装置６は、図６に示すような伝送ずれ補正ルーチンを実行する（Ｓ２０）。
【００４５】
この伝送ずれ補正ルーチンは、表示同期手段６１が全部の情報送受信手段２１１ａ，２１１ｂから受信完了信号を受け取ったか否かを確認し（Ｓ２１）、全部の受信完了信号を受け取った時点にて前述するように表示許可信号を表示制御手段２１３ａ，２１３ｂ（２１３ｂは図示せず）に送出するとともに、内部クロックに基づいて情報表示装置２ａ，２ｂ毎の受信完了信号を受信した時刻データを対応する情報表示装置識別データＩＤとともに伝送ずれ時間サンプリング手段６２に送出する。
【００４６】
この伝送ずれ時間サンプリング手段６２は、ＩＤのもとに所定時間の間または所定量分について受信完了信号の受信時刻データをサンプリングし記録する（Ｓ２２）。そして、所定時間の間または所定量分について受信完了信号の受信時刻データをサンプリングすると、演算指令を伝送ずれ時間演算手段６３に送出する。
【００４７】
この伝送ずれ時間演算手段６３は、演算指令を受け取ると、伝送ずれ時間サンプリング手段６２によるサンプリングデータに基づいて次のような演算処理を実行する。つまり、伝送ずれ時間演算手段６３は、各情報表示装置２ａ，２ｂ毎にサンプリング期間中の伝送時間（時刻の差分）の平均値を計算するとともに、これら情報表示装置２ａ，２ｂ毎の平均伝送時間の中から最も伝送時間の速い最小の平均伝送時間を抽出して基準時間と決定する（Ｓ２３）。このように決定された基準時間と情報表示装置２ａ，２ｂ毎の平均伝送時間との差分を演算し、いわゆる情報表示装置２ａ，２ｂ毎の伝送ずれ時間（差分時間）を求めた後（Ｓ２４）、情報表示装置２ａ，２ｂ毎の伝送ずれ時間を伝送ずれ補正時間演算手段６４に送出する。
【００４８】
この伝送ずれ補正時間演算手段６４では、複数の情報表示装置２ａ，２ｂの伝送ずれ時間のうち、最大伝送ずれ時間を抽出し、この最大伝送ずれ時間と各情報表示装置２ａ，２ｂ毎の伝送ずれ時間との差分を各情報表示装置２ａ，２ｂの補正時間と決定するが（Ｓ２５）、伝送ずれ時間にばらつきがある場合、補正の要否を判断する（Ｓ２６）。
【００４９】
この補正の要否は、前記伝送ずれ時間のばらつきが大きい情報表示装置の場合には補正の意味がなくなるので、例えば伝送ずれ時間のばらつきが所定値以下、例えば伝送ずれ時間が図７に示すように正規分布に従うものとし、平均伝送ずれ時間Ｍ±偏差σ以内の情報表示装置に限定し、前述するステップＳ２５で求めた補正時間を対応する情報表示装置例えば２ａの伝送ずれ補正時間を対応する情報表示装置例えば２ａの伝送ずれ補正手段２１４ａにＩＤ及び補正指令とともに送信する（Ｓ２７）。
【００５０】
伝送ずれ補正時間演算手段６４では、情報表示装置２ａ，２ｂ毎に決定された補正時間に基づき伝送ずれを補正するよう各情報表示装置２ａ，２ｂの伝送ずれ補正手段２１４ａ，２１４ｂ（２１４ｂは図示せず）に送出する。ここで、伝送ずれ補正手段２１４ａ，２１４ｂは、補正時間を記憶するとともに、例えば要求に基づいて補正時間伴う伝送遅れ補正指令を表示制御手段２１３ａ、２１３ｂ（２１３ｂは図示せず）に送出する。
【００５１】
この表示制御手段２１３ａ、２１３ｂは、補正モードに設定されている場合、補正時間を伴う伝送遅れ補正指令に基づき、情報送受信手段２１１ａがエレベータ情報を受信した時から補正時間経過した時（Ｓ１６）、表示処理制御を実行し、既に情報送受信手段２１１ａから受けているエレベータ情報を表示部２２ａに表示し（Ｓ１７、Ｓ１８）、一方、通常モードに設定されている場合、表示同期手段６１から表示許可信号を受けた時、表示処理制御を実行し、既に情報送受信手段２１１ａから受けているエレベータ情報を表示部２２ａに表示し（Ｓ１７、Ｓ１８）。
【００５２】
なお、伝送ずれ補正手段２１４ａには伝送ずれ補正時間演算手段６４から補正時間が設定されるが、この補正時間は次の伝送ずれサンプリング手段６２が伝送ずれ時間を所定時間又は所定量分サンプリングするまで同一であるので、ユーザの要望に応じて伝送ずれ補正時間調整手段２１５ａにて補正時間を変更することが可能である。
【００５３】
従って、以上のような実施の形態によれば、表示同期装置６が各情報表示装置２ａ，２ｂからエレベータ情報受信完了信号を受けた受信時刻を記録する一方、これら受信時刻から取得される伝送ずれ時間を所定時間ないし所定量分サンプリングし、各情報表示装置２ａ，２ｂ毎の伝送時間（時刻の差分）の平均値を計算し、最大の平均伝送時間を基準時間とし、この基準時間と各伝送制御装置毎の平均伝送時間とを用いて、伝送制御装置毎の補正時間を演算し、伝送ずれ補正手段２１４ａ，２１４ｂ（２１４ｂは図示せず）に設定すれば、情報送受信手段２１１ａ、２１１ｂ（２１１ｂは図示せず）でエレベータ情報を受信後、補正時間経過後にエレベータ情報を表示すれば、複数の情報表示装置２ａ、２ｂは伝送ずれを起こすことなく同一の時刻にエレベータ情報を表示できる。
【００５４】
また、各情報表示装置２ａ，２ｂ毎のサンプリングデータから平均伝送時間を演算し、この演算結果のうち、最小平均伝送時間を基準とし、この基準時間と前記第２の伝送制御装置毎の平均伝送時間とを用いて、当該第２の伝送制御装置毎の伝送ずれ時間を演算し、これら第２の伝送制御装置毎の伝送ずれ時間の中から最大伝送ずれ時間を抽出し、この最大伝送ずれ時間と当該第２の伝送制御装置毎の伝送ずれ時間とから伝送制御装置毎の補正時間を演算し、対応する伝送ずれ補正手段に設定すれば、情報送受信手段でエレベータ情報を受信後、補正時間経過後にエレベータ情報を表示すれば、複数の情報表示装置２ａ、２ｂは伝送ずれを起こすことなく精度の高い同一時刻をもってエレベータ情報を表示することができる。
【００５５】
（第３の実施の形態）
図８は本発明に係るエレベータの情報表示制御システムの第３の実施の形態を示す機能構成図である。なお、各情報表示装置２ａ，２ｂは同一構成であるので、以下、情報表示装置２ａだけを説明し、情報表示装置２ｂについては省略する。また、同図において、図４と同一部分には同一符号を付し、その詳しい構成等の説明は図４に譲る。
【００５６】
前述する第２の実施の形態では、表示同期装置６内に表示同期手段６１、伝送ずれ時間サンプリング手段６２、伝送ずれ時間演算手段６３及び伝送ずれ補正時間演算手段６４を設けた構成としたが、この実施の形態では、前記表示同期装置６に相当する機能を情報表示装置２ａ内に設けた構成である。
【００５７】
このシステムにおける情報表示装置２ａには、図４に示す構成要素２１１ａ〜２１６ａの他に、新たに表示遅れ時間サンプリング手段２１７及び表示遅れ時間演算手段２１８ａを付加した構成である。
【００５８】
この表示遅れ時間サンプリング手段２１７ａは、内部クロックの計測機能を有し、受信受信完了信号出力手段２１２ａから出力される受信受信完了信号の受信時点から全部の情報表示装置２ａ，２ｂ側から受信受信完了信号を受け取ったときに表示同期装置６から発生される表示許可信号の受信時点までの時間，つまり表示遅れ時間を計測し記録するとともに、この表示遅れ時間を所定時間又は所定量分サンプリングしたとき、演算指令を表示遅れ時間演算手段２１８ａに送出する機能をもっている。
【００５９】
この表示遅れ時間演算手段２１８ａは、サンプリングされた表示遅れ時間の平均値を演算し、この平均表示遅れ時間を補正時間とし、前記伝送ずれ補正手段２１４ａに送出し、この補正時間に基づいて伝送ずれの補正を行う。
【００６０】
次に、以上のようなシステムの動作を説明するに際し、特に新たに追加された表示遅れ時間サンプリング手段２１７ａ及び表示遅れ時間演算手段２１８ａに関係する部分の動作について図９を参照して説明する。
【００６１】
情報表示装置２１ａの情報送受信手段２１１ａがエレベータ制御装置１からエレベータ情報を受信すると、受信完了信号出力手段２１２ａが受信完了をチェックし、受信完了と判断された場合には受信完了信号を表示同期装置６及び表示遅れ時間サンプリング手段２１７ａに送出する。
【００６２】
ここで、表示遅れサンプリング手段手段２１７ａは、受信完了信号を受信すると、図９に示す表示補正ルーチンを実行する（Ｓ３０）。この表示補正ルーチンは、受信完了信号を受信すると内部クロックにより時間を計測する。一方、表示同期装置６は、各情報表示装置２ａ，２ｂからのデータ受信完了信号を受信し、全ての各情報表示装置２ａ，２ｂからデータ受信完了信号を受けたとき、表示許可信号を表示制御手段２１３ａ及び表示遅れ時間サンプリング手段２１７ａに送出する。
【００６３】
この表示制御手段２１３ａは、表示許可信号を受け取るが、補正モードに設定されている場合には伝送ずれ補正手段２１４ａからの指示を待つ。一方、表示遅れ時間サンプリング手段２１７ａは、表示許可信号を受け取ると内部クロックの計測を停止し、データ受信完了信号から表示許可信号までの時間間隔，つまり表示遅れ時間を記録するとともに、この表示遅れ時間を所定時間又は所定量分サンプリングする（Ｓ３１）。
【００６４】
そして、表示遅れ時間サンプリング手段２１７ａは、所定時間又は所定量分にわたって表示遅れ時間をサンプリングすると、演算指令を表示遅れ時間演算手段２１８ａに送出する。この表示遅れ時間演算手段２１８ａは、所定時間又は所定量分にわたってサンプリングされた表示遅れ時間の平均値を演算し、この平均表示遅れ時間を補正時間とする（Ｓ３２）。
【００６５】
ところで、表示遅れ時間演算手段２１８ａでは、サンプリングデータから補正時間を求めた後、当該補正時間に基づいて表示遅れを補正するが、この平均値演算前の表示遅れ時間にかなりのばらつきが存在する場合、補正の意義が失われることにもなる。そこで、表示遅れ時間演算手段２１８ａでは、表示遅れ時間のばらつきが所定値以下，例えば表示遅れ時間が正規分布に従うものとし、平均表示遅れ時間Ｍ±偏差σ以内にある場合に補正可能と決定し（Ｓ３３）、平均表示遅れ時間である補正時間を伝送ずれ補正手段２１４ａに送出する。
【００６６】
この伝送ずれ補正手段２１４ａは、表示遅れ時間演算手段２１８ａから補正時間を受け取ると、当該補正時間を記憶し、表示制御手段２１３ａの要求のもとに補正時間経過後又は補正時間を伴う表示補正指令を送出し、表示制御手段２１３ａに供給する（Ｓ３４）。この表示制御手段２１３ａは、補正モードに設定されていることを前提とし、表示補正指令のみを受けた時、既に情報送受信手段２１１ａから受け取っているエレベータ情報を表示部２２ａに表示し、また補正時間を伴う伝送補正指令を受けた場合、当該補正時間経過後に情報送受信手段２１１ａから受け取るエレベータ情報を表示部２２ａに表示する。
【００６７】
従って、以上のような実施の形態によれば、情報表示装置２ａに新たに表示遅れ時間サンプリング手段２１７ａ及び表示遅れ時間演算手段２１８ａを設けることにより、第２の実施の形態と同様の効果を奏することができる。
【００６８】
なお、この実施の形態においても、例えば伝送ずれ補正手段２１４ａから補正時間を情報送受信手段２１１ａを介してエレベータ制御装置１の分配手段１２に送信し、各情報表示装置２ａ，２ｂの補正時間に従って所要とするエレベータ情報を分配伝送する構成であってもよい。
【００６９】
（第４の実施の形態）
図１０は本発明に係るエレベータの情報表示制御システムの第４の実施の形態を示す機能構成図である。なお、同図において図４と同一部分には同一符号を付し、その詳しい説明は図４の説明に譲る。
【００７０】
この実施の形態は、エレベータ制御装置１の伝送制御装置１１側に各情報表示装置２ａ，２ｂ相互の伝送ずれ補正機能を設けた構成である。従って、このシステムでは、表示同期装置６の他、各情報表示装置２ａ，２ｂ内の伝送ずれ補正に関係する構成部分が不要となる。
【００７１】
この情報表示制御システムは、前述する実施の形態と同様に、エレベータ制御装置１に例えば最小単位である２台の情報表示装置２ａ，２ｂが接続され、これら情報表示装置２ａ，２ｂには、それぞれ前述する情報送受信手段２１１ａ、２１１ｂ、受信完了信号出力手段２１２ａ、２１２ｂ及び表示制御手段２１３ａ，２１３ｂが設けられている。なお、各手段２１１ｂ、２１２ｂ、２１３ｂは、情報表示装置２ａと同一構成であるので、図示していない。
【００７２】
一方、エレベータ制御装置１は、エレベータ処理制御手段１１１、情報送受信手段１１２及び分配手段１２の他、伝送遅れ時間サンプリング手段１１３、伝送遅れ時間演算手段１１４、伝送遅れ補正手段１１５及び伝送遅れ補正時間調整手段１１６が設けられている。
【００７３】
次に、以上のようなシステムの動作について図１１を参照して説明する。
【００７４】
エレベータ制御装置装置１を構成するエレベータ制御処理手段１１１は、乗場からのかご呼び等に基づいて予め定めるプログラムに従って必要なエレベータ情報を作成し、情報送受信手段１１２を通して分配手段１２に送出する。この分配手段１２は、情報送受信手段１１２から受け取ったエレベータ情報を各情報表示装置２ａ，２ｂに分配し送信する。
【００７５】
この情報表示装置２ａは、情報送受信手段２１１ａによってエレベータ情報を受信すると、受信完了信号出力手段２１２ａでは、当該エレベータ情報の受信が完了したか否かをチェックし、受信完了したときに受信完了信号を情報送受信手段２１１ａを経由してエレベータ制御装置１側にフィードバックする。
【００７６】
このエレベータ制御装置１の分配手段１２又は情報送受信手段１１２では、内部クロックに基づき、情報表示装置２ａ、２ｂ毎にエレベータ情報送信から各情報表示装置２ａ、２ｂから受信完了信号を受けるまでの伝送遅れ時間を計測し、情報表示装置識別情報ＩＤとともに情報送受信手段１１２又は伝送遅れ時間サンプリング手段１１３に送出する。
【００７７】
この伝送遅れ時間サンプリング手段１１３は、識別情報ＩＤとともに伝送遅れ時間を記憶するとともに、これら伝送遅れ時間を所定時間又は所定量分にわたってサンプリングすると（Ｓ４１）、演算指令を伝送遅れ時間演算手段１１４に送出する。この伝送遅れ時間演算手段１１４は、所定時間又は所定量分にわたってサンプリングされた伝送遅れ時間の平均値を演算した後（Ｓ４２）、この平均伝送遅れ時間の１／２を補正時間と決定する（Ｓ４３）。平均伝送遅れ時間の１／２を補正時間とした理由は、伝送路３ａ，３ｂ及び４ａ，４ｂ等による往復時間を考慮したである。
【００７８】
しかる後、伝送遅れ時間演算手段１１４では、伝送遅れ時間サンプリング手段１１３からの補正時間に基づいて表示遅れを補正するが、伝送遅れ時間にばらつきがあるので、補正の要否を判断する（Ｓ４４）。この補正の要否は、伝送遅れ時間のばらつきが所定値以下，例えば伝送遅れ時間が正規分布に従うとして平均伝送遅れ時間Ｍ±偏差２σ以内のとき（図７参照）、補正可能とし、情報表示装置毎の伝送遅れ補正時間を伝送遅れ補正手段１１５に送出する。
【００７９】
ここで、伝送遅れ補正手段１１５では、情報表示装置毎の伝送遅れ補正時間を格納し、当該伝送遅れ補正時間に基づいて伝送遅れ補正指令を分配手段１２又は情報送受信手段１１２に送出し、情報表示装置毎の伝送遅れを補正する（Ｓ４５）。なお、この伝送遅れ補正手段１１５に格納される伝送遅れ補正時間は、伝送遅れ補正時間調整手段１１６からのユーザの入力により、適宜変更することが可能である。
【００８０】
従って、以上のような実施の形態によれば、エレベータ制御装置１がエレベータ情報を複数の情報表示装置に分配送信した後、各情報表示装置からフィードバックされてくる受信完了信号までの伝送遅れ時間から補正時間を演算し、エレベータ情報の送信制御に用いるので、第１ないし第３の実施の形態で用いた表示同期装置６を設置する必要が無く、また情報表示装置毎に必要な伝送補正ずれ機能を備えること無く、各情報表示装置の伝送遅れを考慮しつつエレベータ情報を分配送信することができ、しかも自動的に表示ずれを解消することができる。さらに、エレベータ制御装置１に伝送遅れ補正機能を設けたことにより、低コスト化、省スペース化及び省力化を図ることができる。
【００８１】
さらに、サンプリング手段１１３によるサンプリングされた表示遅れ時間の平均値を演算し、この平均表示遅れ時間の１／２を補正時間とするので、伝送遅れ時間をより正確に取得でき、ひいては複数の情報表示装置にほぼ同時にエレベータ情報を表示できる。
【００８２】
なお、本願発明は、上記実施の形態に限定されるものでなく、その要旨を逸脱しない範囲で種々変形して実施できる。
【００８３】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００８４】
【発明の効果】
以上説明したように本発明によれば、エレベータ制御装置から複数の情報表示装置に表示ずれなくエレベータ情報を表示でき、利用者が違和感のない状態でエレベータ情報を見ることが可能なエレベータの情報表示制御システムを提供できる。
【図面の簡単な説明】
【図１】本発明に係るエレベータの情報表示制御システムの全体構成図。
【図２】本発明に係るエレベータの情報表示制御システムの第１の実施の形態を示す構成図。
【図３】図１に示すシステムの動作を説明する流れ図。
【図４】本発明に係るエレベータの情報表示制御システムの第２の実施の形態を示す構成図。
【図５】図４に示す情報表示装置の動作を説明する流れ図。
【図６】図４に示す表示同期装置の動作を説明する流れ図。
【図７】補正の要否を決定するための説明図。
【図８】本発明に係るエレベータの情報表示制御システムの第３の実施の形態を示す構成図。
【図９】図８に示す情報表示装置の動作を説明する流れ図。
【図１０】本発明に係るエレベータの情報表示制御システムの第４の実施の形態を示す構成図。
【図１１】図１０に示すエレベータ制御装置の伝送遅れ補正処理を説明する流れ図。
【符号の説明】
１…エレベータ制御装置、２ａ，２ｂ…情報表示装置、３ａ，３ｂ，４ａ，４ｂ…伝送路、６…表示同期装置、１１…エレベータ伝送制御装置、１２…分配手段、２１ａ，２１ｂ…伝送制御装置、２２ａ，２２ｂ…表示部、６１…表示同期手段、６２…伝送ずれ時間サンプリング手段、６３…伝送ずれ時間演算手段、６４…補正時間演算手段、１１１…エレベータ制御処理手段、１１２…情報送受信手段、２１１ａ…情報受信手段、２１２ａ…受信完了信号出力手段、２１３ａ…表示制御手段、２１４ａ…伝送ずれ補正手段、２１５ａ…補正時間調整手段、２１６ａ…表示モード選択手段、２１７ａ…表示遅れ時間サンプリング手段、２１８ａ…表示遅れ時間演算手段、１１３…伝送遅れ時間サンプリング手段、１１４…伝送遅れ時間演算手段、１１５…伝送遅れ補正手段、１１６…伝送遅れ補正時間調整手段。
【図１】
2005047645.tif 000003
【図２】
2005047645.tif 000004
【図３】
2005047645.tif 000005
【図４】
2005047645.tif 000006
【図５】
2005047645.tif 000007
【図６】
2005047645.tif 000008
【図７】
2005047645.tif 000009
【図８】
2005047645.tif 000010
【図９】
2005047645.tif 000011
【図１０】
2005047645.tif 000012
【図１１】
2005047645.tif 000013